(57)【要約】【課題】同一製品で照射範囲が簡単に変更することができる発光ユニットを提供する。【解決手段】発光ユニット１０は、半導体発光素子２５と、挿入された半導体発光素子２５からの光が通過する出射開口部７３が形成されたハウジング１５と、内方に収容されたハウジング１５の出射開口部７３に一致するレンズホルダ部７５が形成されたレンズカバー６５と、レンズホルダ部７５に装着されるレンズ７７と、を備える。レンズ７７は、レンズ表面に設けられた集光用微細プリズム７９と、レンズ裏面に設けられ、レンズ７７の光軸８３に直交する面が底面８５となる凹部８１と、を備える。【選択図】図１２
2013229256.tif 000002
【特許請求の範囲】
【請求項１】
半導体発光素子と、
挿入された前記半導体発光素子からの光が通過する出射開口部が形成されたハウジングと、
内方に収容された前記ハウジングの前記出射開口部に一致するレンズホルダ部が形成されたレンズカバーと、
前記レンズホルダ部に装着されるレンズと、を備え、
前記レンズは、レンズ表面に設けられた集光用微細プリズムと、
レンズ裏面に設けられ、前記レンズの光軸に直交する面が底面となる凹部と、
を備えることを特徴とする発光ユニット。
【請求項２】
請求項１記載の発光ユニットであって、
前記レンズの外形が円筒状に形成されると共に前記レンズホルダ部が円筒状凹部に形成され、
前記レンズの外周面と前記レンズホルダ部の内周面との間には、前記レンズホルダ部に対して前記レンズを固定するレンズ固定機構と、前記レンズホルダ部に対して前記レンズの挿入位置を位置決めするレンズ位置決め機構と、が設けられていることを特徴とする発光ユニット。
【発明の詳細な説明】
【技術分野】
【０００１】
本発明は、光源を備えた発光ユニットに関する。
【背景技術】
【０００２】
半導体発光素子を備えた発光ユニットが特許文献１に開示されている。図１３に示すように、この発光ユニットは、ハウジングに一対のバスバー５０１，５０３が組み付けられるとともに、光源である半導体発光素子（ＬＥＤ）５０５が組み付けられる。平板形状をなして２分割されたバスバー５０１，５０３は、電線接続部５０７と、ツエナーダイオード接続部５０９と、抵抗器接続部５１１と、ＬＥＤ接続部５１３と、を有する。抵抗器接続部５１１には、２分割されたバスバー５０１，５０３のそれぞれに圧接刃５１５，５１５が備えられる。ツエナーダイオード接続部５０９には、単一の圧接刃５１７が一方のバスバー５０１に、単一の圧接刃５１９が他方のバスバー５０３に備えられる。
【０００３】
ツエナーダイオード５２１は、一方のリード部５２３が一方のバスバー５０１に、他方のリード部５２５が他方のバスバー５０３にそれぞれ電気的に接続されることで、抵抗器５２７の下流側で一対のバスバー５０１，５０３に並列に接続され、ダイオードに順起電力が流れる方向で静電気により回路に印加される突発的な大電圧からのＬＥＤを破壊から保護し、ダイオードに逆起電力が流れる方向では通電を阻止し、同じくＬＥＤを破壊から保護する機能を果たす。
【先行技術文献】
【特許文献】
【０００４】
【特許文献１】特開２００７−１４９７６２号公報
【発明の概要】
【発明が解決しようとする課題】
【０００５】
しかしながら、上記した従来の発光ユニットは、一対のバスバー５０１，５０３にＬＥＤ５０５が組み付けられているため、特定の照射範囲となり、同一の装着位置で照射範囲を変えたい場合には、照射範囲の異なる他の発光ユニットと交換しなければならなかった。また、レンズ付きのＬＥＤ５０５が使用されている場合には、ＬＥＤ５０５のみを照射範囲の異なる他のＬＥＤと交換すれば照射範囲を変更できるが、発光ユニットを組み替えしなければならず、交換作業が煩雑となった。
【０００６】
本発明は上記状況に鑑みてなされたもので、その目的は、同一製品で照射範囲が簡単に変更することができる発光ユニットを提供することにある。
【課題を解決するための手段】
【０００７】
本発明に係る上記目的は、下記構成により達成される。
（１）  半導体発光素子と、挿入された前記半導体発光素子からの光が通過する出射開口部が形成されたハウジングと、内方に収容された前記ハウジングの前記出射開口部に一致するレンズホルダ部が形成されたレンズカバーと、前記レンズホルダ部に装着されるレンズと、を備え、
前記レンズは、レンズ表面に設けられた集光用微細プリズムと、レンズ裏面に設けられ、前記レンズの光軸に直交する面が底面となる凹部と、を備えることを特徴とする発光ユニット。
【０００８】
上記（１）の構成の発光ユニットによれば、半導体発光素子を装着されたハウジングがレンズカバーに挿入されると、ハウジングの出射開口部がレンズカバーのレンズホルダ部と一致する。そして、半導体発光素子からの光は、出射開口部、レンズホルダ部を通って外方へ出射される。レンズホルダ部にレンズが装着されると、出射開口部を通った光がレンズを通り、レンズ表面に集光用微細プリズムを備えたレンズによって屈折される。
この際、レンズ裏面に設けられた凹部の底面が光の入射側となる場合と光の出射側となる場合とで、半導体発光素子からレンズまでの距離が異なる。すなわち、レンズにおける凹部の底面が光の入射側となる場合には半導体発光素子からの光が入射する入射面となる底面（レンズの光軸に直交する面）までの距離が大きくなり、レンズの凹部が光の出射側となる場合には半導体発光素子からの光が入射する入射面となる集光用微細プリズムまでの距離が小さくなる。そこで、半導体発光素子からレンズまでの距離が大きい場合には光の照射範囲は大きくなり、半導体発光素子からレンズまでの距離が小さい場合には光の照射範囲は小さくなる。従って、同一製品のレンズを用いながら、レンズホルダ部に装着されるレンズの装着向きによって光の照射範囲を変更することができる。
【０００９】
（２）  上記（１）の構成の発光ユニットであって、前記レンズの外形が円筒状に形成されると共に前記レンズホルダ部が円筒状凹部に形成され、前記レンズの外周面と前記レンズホルダ部の内周面との間には、前記レンズホルダ部に対して前記レンズを固定するレンズ固定機構と、前記レンズホルダ部に対して前記レンズの挿入位置を位置決めするレンズ位置決め機構と、が設けられていることを特徴とする発光ユニット。
【００１０】
上記（２）の構成の発光ユニットによれば、レンズ裏面に設けられた凹部の凹部底面が光の入射側となる場合、又は光の出射側となる場合の双方のレンズの装着向きにおいて、レンズホルダ部に装着されたレンズは、レンズ固定機構により移動及び脱落が規制されてレンズホルダ部に容易に固定される。
また、レンズをレンズホルダ部に装着する際には、レンズ固定機構におけるレンズ側の係合部とレンズホルダ部側の係止部とが一致するようにレンズ位置決め機構により位置決めされるので、正確かつ速やかにレンズをレンズホルダ部に装着することができ、レンズ装着作業が容易となる。
【発明の効果】
【００１１】
本発明に係る発光ユニットによれば、同一製品で照射範囲を簡単に変更することができる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係る発光ユニットの分解斜視図である。
【図２】図１に示した発光ユニットに用いられる２本のバスバーとハウジングの分解斜視図である。
【図３】（ａ）は半導体発光素子の斜視図、（ｂ）はツエナーダイオードの斜視図である。
【図４】（ａ）は図１に示したレンズをレンズ表面側から見た斜視図、（ｂ）は同レンズをレンズ裏面側から見た斜視図である。
【図５】（ａ）図１に示したレンズの上面図、（ｂ）は同レンズの側面図、（ｃ）は同レンズの底面図である。
【図６】図１に示した発光ユニットにおける半導体発光素子組付け工程を説明する図である。
【図７】同様に抵抗器組付け工程を説明する図である。
【図８】（ａ）は同様に破断部が破断される前の斜視図、（ｂ）はその平面図である。
【図９】（ａ）は同様に破断部が破断された後の斜視図、（ｂ）はその平面図である。
【図１０】同様にレンズ及びハウジング組付け工程を説明する図である。
【図１１】同様にメスコネクタ組付け工程を説明する図である。
【図１２】（ａ）はレンズ表面が出射側に装着された発光ユニットにおける光の照射範囲を表す図、（ｂ）はレンズ表面が入射側に装着された発光ユニットにおける光の照射範囲を表す図である。
【図１３】従来の発光ユニットの斜視図である。
【発明を実施するための形態】
【００１４】
以下、本発明に係る実施形態を図面を参照して説明する。
図１は本発明の一実施形態に係る発光ユニットの分解斜視図、図２は図１に示した発光ユニットに用いられる２本のバスバーとハウジングの分解斜視図である。
本実施形態に係る発光ユニット１０は、図２に示す２本の同一形状のバスバー１３を有している。この２本のバスバー１３は、ハウジング１５に収容されて使用される。
【００１５】
本実施形態に係る２本のバスバー１３は、一端１７にそれぞれ端子部１９を形成し、離間して並列配置される。端子部１９は、複数種（本実施形態では２種類）の電子部品の各一対の接点部２１（図３参照）に弾接可能な少なくとも二対の平行な左右接触バネ片２３ａ，２４ａ、２３ｂ，２４ｂが上下多段（本実施形態では２段）に配置して形成される。但し、本発明の発光ユニット１０は、これに限定されるものではなく、一段の端子部のみの構成でも、三段以上の多段の構成でもよい。
本実施形態では、１本のバスバー１３に、略Ｙ字状に分岐した一対の接触バネ片２３，２４の先端に二対の左右接触バネ片２３ａ，２４ａ、２３ｂ，２４ｂが設けられる。並列配置されたバスバー１３の上段における４つの左右接触バネ片２３ａ，２４ａ，２３ａ，２４ａのうち隣接する２つの左右接触バネ片２４ａ，２３ａの電気接触部４５が、２本のバスバー１３間に配置された第１の電子部品である半導体発光素子２５の一対の接点部２１と接続する。また、並列配置されたバスバー１３の下段における４つの左右接触バネ片２３ｂ，２４ｂ，２３ｂ，２４ｂのうち１つの左右接触バネ片２３ｂを跨いだ２つの左右接触バネ片２４ｂ，２４ｂの電気接触部４５が、２本のバスバー１３間で半導体発光素子２５の下方に位置する第２の電子部品であるツエナーダイオード２７の一対の接点部２１と接続する。
【００１６】
バスバー１３は、ハウジング１５に装着された状態でその一部分がハウジング１５の外部に突出される。本実施形態において、バスバー１３の一部分がハウジング１５から突出する側を「後」、その反対側を「前」と称する。バスバー１３の他端２６である後端には、オスタブ３１が突出して形成されている。オスタブ３１は、一つのバスバー１３において、バスバー１３の並列配置の方向に並んで一対のものが平行に形成されている。
このオスタブ３１は、基端がカットされることでバスバー１３の他端２６から除去可能となっている。すなわち、不要な方をカットすることで、複数のバスバー１３の他端２６に形成されるオスタブ３１を所望の異なるピッチや配置で使用することが可能となる。オスタブ３１の前部には、後部当接片３３と、後部弾性脚３５と、前部弾性脚３７と、前部当接片３９とが連設される。
【００１７】
図２の前部当接片３９には、バスバー１３の一端１７（前端）となる端子部１９が連結部４１を介して連設されている。オスタブ３１、後部当接片３３、後部弾性脚３５、前部弾性脚３７、前部当接片３９、端子部１９は、板金加工により一体に打ち抜かれた後、図２に示す形状に折り曲げ加工される。バスバー１３の端子部１９は、一対の側壁４３が平行となるようにＵ字状に折り曲げ形成され、側壁４３のそれぞれに接触バネ片２３，２４が打ち抜き成形される。バスバー１３の本体がＵ字状に折り曲げられて形成され、その対向する一対の側壁４３に、打ち抜き加工によって略Ｙ字状に分岐した接触バネ片２３，２４の先端に二対の左右接触バネ片２３ａ，２４ａ、２３ｂ，２４ｂが形成されることにより、多数の電気接触部４５を有する弾接構造が容易且つコンパクトに製造可能となっている。
【００１８】
１本のバスバー１３において、一対の接触バネ片２３，２４は、平行となるように形成され、略Ｙ字状に分岐した各先端に二対の左右接触バネ片２３ａ，２４ａ、２３ｂ，２４ｂを有する。各左右接触バネ片２３ａ，２４ａ、２３ｂ，２４ｂの先端に突設される電気接触部４５は、接点が頂角となる三角形状に形成される。バスバー１３は、２本が平行に離間配置される。これにより、並列配置されたバスバー１３の左右接触バネ片２３ａ，２４ａ、２３ｂ，２４ｂの先端の電気接触部４５は、片側４箇所ずつの８箇所に配置されることになる。並列配置されたバスバー１３の上段における４つの左右接触バネ片２３ａ，２４ａ，２３ａ，２４ａの上側４箇所の電気接触部４５には、それぞれのバスバー１３に形成された上方部品座部４７が対峙される。また、並列配置されたバスバー１３の下段における４つの左右接触バネ片２３ｂ，２４ｂ，２３ｂ，２４ｂの下側４箇所の電気接触部４５には、それぞれのバスバー１３に形成された下方部品座部４９が対峙される。
【００１９】
上方部品座部４７と、上段における４つの左右接触バネ片２３ａ，２４ａ，２３ａ，２４ａの上側４箇所の電気接触部４５との間には、半導体発光素子２５が装着されている。下段における４つの左右接触バネ片２３ｂ，２４ｂ，２３ｂ，２４ｂの下側４箇所の電気接触部４５と、下方部品座部４９との間には、ツエナーダイオード２７が装着されている。半導体発光素子２５は、図３（ａ）に示すように、一方の面に、一対の接点部２１が設けられた表面実装用の電子部品となっている。また、ツエナーダイオード２７も、図３（ｂ）に示すように、一方の面に一対の接点部２１が設けられた表面実装用の電子部品となっている。
【００２０】
半導体発光素子２５は、接点部２１を設けた面が、上段の左右接触バネ片２３ａ，２４ａの電気接触部４５に向けられ、背面が上方部品座部４７に当接される。ツエナーダイオード２７は、接点部２１を設けた面が、下段の左右接触バネ片２３ｂ，２４ｂの電気接触部４５の側に向けられ、背面が下方部品座部４９に当接される。
【００２１】
本実施形態の発光ユニットでは、並列配置された２つのバスバー１３からそれぞれ一方の不要なオスタブ３１が除去されることで（図１参照）、残される２つのオスタブ３１のピッチや配置が変更可能となる。残される２つのオスタブ３１のピッチは、左右のバスバー１３において、それぞれ外側のオスタブ３１同士、内側のオスタブ３１同士、一方の外側及び他方の内側のオスタブ３１同士の３種に変更可能となる。同一ピッチでの配置は、左右のバスバー１３において、一方の外側及び他方の内側のオスタブ３１同士、一方の内側及び他方の外側のオスタブ３１同士の２種に変更可能となる。
【００２２】
半導体発光素子２５は、並列配置されたバスバー１３の上段の電気接触部４５において、左側から２番目の電気接触部４５と、左側から３番目の電気接触部４５とに接続される。また、ツエナーダイオード２７は、並列配置されたバスバー１３の下段の電気接触部４５において、左側から１番目の電気接触部４５と、左側から３番目の電気接触部４５とに接続されるが、左側から２番目の電気接触部４５と、左側から４番目の電気接触部４５とに接続することもできる。また、本実施の形態において、ツエナーダイオード２７は、接点間ピッチが、電気接触部４５の接点間ピッチの２倍の距離となるものが用いられているが、接点間ピッチが電気接触部４５の接点間ピッチの３倍の距離となるものも用いることができる。この場合、ツエナーダイオード２７の一対の接点部２１は、左側から１番目の電気接触部４５と、左側から４番目の電気接触部４５とに接続される。
【００２３】
ハウジング１５には、半導体発光素子２５からの光が通過する出射開口部７３（図２参照）が形成される。発光ユニット１０は、ハウジング１５が、レンズカバー６５の内方に挿入されて収容される。レンズカバー６５にはハウジング１５の出射開口部７３に一致するレンズホルダ部７５が形成される。このレンズホルダ部７５にはレンズ７７が装着される。
【００２４】
図４及び図５に示すように、レンズ７７の円形のレンズ表面には、集光用微細プリズム７９が設けられる。また、レンズ７７のレンズ裏面には、水平断面円形の凹部８１が形成されている。凹部８１は、レンズ７７のレンズ厚みを減じて設けられ、レンズ７７の光軸８３（図１２参照）に直交する平面が底面８５となる。
本実施形態のレンズ７７は、外形が円筒状に形成される。また、レンズホルダ部７５は、円筒状凹部に形成され、レンズ７７の外周面８７とレンズホルダ部７５の内周面９１との間には、レンズホルダ部７５に対してレンズ７７を固定するレンズ固定機構と、レンズホルダ部７５に対してレンズ７７の挿入位置を位置決めするレンズ位置決め機構と、が設けられている。
【００２５】
本実施形態におけるレンズ固定機構は、レンズ７７の外周面８７に円周方向に沿って等間隔に突設された４つの固定用ロック（レンズ側の係合部）９５と、これら固定用ロック９５に対応してレンズホルダ部７５の内周面９１における底面８５側に凹設された固定穴（レンズホルダ部側の係止部）９７と、で構成される。
また、本実施形態におけるレンズ位置決め機構は、レンズ７７の外周面８７に突設されて光軸８３と平行に延びる一対の位置決め用リブ８９と、これら位置決め用リブ８９に対応してレンズホルダ部７５の内周面９１に凹設された位置決め溝９３と、で構成される。
【００２６】
次に、図６〜図１０参照しながら上記構成の発光ユニット１０の組付け工程を説明する。
本実施形態の発光ユニット１０は、２本のバスバー１３をハウジング１５に装着する。ハウジング１５には２つのバスバー収用室５５が形成される。バスバー収用室５５は、後端が後壁５７（図２参照）となり、その前方の内壁面に一対の保持溝５９がそれぞれのバスバー収用室５５に形成されている。バスバー収用室５５に挿入されたバスバー１３は、後部当接片３３（図２参照）と後部弾性脚３５とで後壁５７を挟持し、ハウジング１５から脱落規制されて装着される。
【００２７】
図６に示すように、ハウジング１５の前面にはＬＥＤ装着開口部６１と、ダイオード装着開口部６３とが上下２段で形成されている。ＬＥＤ装着開口部６１には、半導体発光素子２５が、接点部２１を下側にして挿入される。ダイオード装着開口部６３には、ツエナーダイオード２７が、接点部２１を上側にして挿入される。これにより、それぞれの接点部２１が、それぞれの電気接触部４５に接続される。また、図７に示すように、ハウジング１５の底面には抵抗装着開口部６４が形成されており、抵抗器２８が挿入される。これにより、それぞれのバスバー１３における前部当接片３９と前部弾性脚３７とで抵抗器２８を挟持し、前部弾性脚３７の電気接触部が抵抗器２８の一対の接点部に接続される。
ここで、本実施形態に係る発光ユニット１０は、半導体発光素子２５及びツエナーダイオード２７と、陽極端子及び負極端子との間にそれぞれ抵抗器２８を設けた回路とする必要がある。そこで、図８に示すように、バスバー１３における一対の前部当接片３９と端子部１９との間に連結部４１が形成される。この連結部４１は、図９に示すように、カットされる。
【００２８】
次いで、それぞれのバスバー１３における不要なオスタブ３１がカットされ、所望のピッチのオスタブ３１が残される。このオスタブ３１同士のピッチは、メスコネクタ６９（図１１参照）に収容されるメス端子（図示せず）のピッチにより決まる。本実施形態ではそれぞれのバスバー１３の外側のオスタブ３１が除去される。これにより、それぞれのバスバー１３に装着された抵抗器２８は、半導体発光素子２５及びツエナーダイオード２７と、陽極端子及び負極端子との間に直列接続で設けられることになる。
【００２９】
図９に示すように、本実施形態の発光ユニット１０では、並列配置された一対のバスバー１３のピッチ（間隔）Ｐ１は、半導体発光素子２５の幅寸法及び接点間隔により決まる。オスタブ３１のピッチＰ２は、メスコネクタ側のメス端子のピッチにより決まる。このようにして、本実施形態の発光ユニット１０では、バスバー１３のピッチＰ１とオスタブ３１のピッチＰ２を両立できるため、左右のバスバー１３の共通化を実現することができる。
【００３０】
図１０に示すように、半導体発光素子２５と、ツエナーダイオード２７とを装着したハウジング１５は、カバーであるレンズカバー６５に装着される。レンズカバー６５の後端面には挿入開口であるハウジング挿入開口６７が形成されている。オスタブ３１の突出したハウジング１５は、オスタブ３１の突出方向を後方に向けてレンズカバー６５内に装着される。レンズカバー６５に挿入されたハウジング１５は、オスタブ３１がレンズカバー６５の内部で後方に向かって突出している。最後に、図１に示すように、レンズカバー６５のレンズホルダ部７５にレンズ７７が装着されることで発光ユニット１０が構成される。レンズ７７の装着方向は、図１に示す凹部８１の底面８５が光り入射側となり、集光用微細プリズム７９が光り出射側となる向きと、図１０に示す集光用微細プリズム７９が光り入射側となり、底面８５が光り出射側となる向きとで選択される。
【００３１】
図１１に示すように、発光ユニット１０は、ハウジング１５を装着したレンズカバー６５に、メスコネクタ６９がハウジング挿入開口６７から挿入される。メスコネクタ６９がレンズカバー６５に挿入されると、レンズカバー６５の内方に配置されているオスタブ３１にメスコネクタ６９のメス端子が電気的に接続される。
【００３２】
レンズカバー６５に挿入されたメスコネクタ６９は、レンズカバー６５に形成される係止突起７１に、係止部（図示せず）を係止して、レンズカバー６５からのハウジング１５と、メスコネクタ６９自身との離脱が規制される。
【００３３】
本実施形態の発光ユニット１０では、半導体発光素子２５が装着されたハウジング１５がレンズカバー６５に挿入されると、ハウジング１５の出射開口部７３の中心がレンズカバー６５のレンズホルダ部７５の中心と一致する。半導体発光素子２５から出射された光は、出射開口部７３、レンズホルダ部７５を通って外方へ出射される。レンズホルダ部７５にレンズ７７が装着されると、出射開口部７３を通った光がレンズ７７を通り、レンズ表面に設けられた集光用微細プリズム７９によって屈折される。
【００３４】
この際、図１２に示すように、レンズ裏面に設けられた凹部８１の底面８５が光の入射側となる場合と光の出射側となる場合とで、半導体発光素子２５からレンズ７７までの距離が異なる。図１２（ａ）に示すように、レンズ７７における凹部８１の底面８５が光の入射側となる場合に半導体発光素子２５からの光が入射する入射面となる底面８５（レンズの光軸８３に直交する面）までの距離が大きくなる。一方、図１２（ｂ）に示すように、レンズ７７における凹部８１の底面８５が光の出射側となる場合に半導体発光素子２５からの光が入射する入射面となる集光用微細プリズム７９までの距離が小さくなる。即ち、半導体発光素子２５から集光用微細プリズム７９までの距離Ｌ１が大きい場合には、図１２（ａ）に示すように、光の照射範囲Ｗは大きくなる。半導体発光素子２５から集光用微細プリズム７９までの距離Ｌ２が小さい場合には、図１２（ｂ）に示すように、光の照射範囲Ｎは小さくなる。
従って、上述した本実施形態の発光ユニット１０によれば、同一製品のレンズ７７を用いながら、レンズホルダ部７５に装着されるレンズ７７の装着向きによって光の照射範囲を変更することができる。
【００３５】
また、本実施形態の発光ユニット１０は、レンズ裏面に設けられた凹部８１の底面８５が光の入射側となる場合、又は光の出射側となる場合の双方の装着向きにおいて、レンズ７７をレンズホルダ部７５に装着固定することができる。即ち、レンズ７７の外周面８７に突設された固定用ロック９５と、レンズホルダ部７５の内周面９１に凹設された固定穴９７とで構成されたレンズ固定機構によって、レンズ７７は装着向きに関わらず移動及び脱落が規制されてレンズホルダ部７５に容易に固定される。従って、レンズ７７は、光軸８３が変わることなく、半導体発光素子２５までの距離が変わるように選択的に固定される。
【００３６】
また、レンズ７７をレンズホルダ部７５に装着する際には、固定用ロック９５と固定穴９７とが一致するように、レンズ位置決め機構を構成するレンズ７７の位置決め用リブ８９と、レンズホルダ部７５の位置決め溝９３とによって位置決めされるので、レンズ７７を正確かつ速やかにレンズホルダ部７５に装着することができ、レンズ装着作業が容易となる。
【００３７】
なお、本発明の発光ユニット１０は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３８】
１０…発光ユニット
１５…ハウジング
２５…半導体発光素子
６５…レンズカバー
７３…出射開口部
７５…レンズホルダ部
７７…レンズ
７９…集光用微細プリズム
８１…凹部
８３…光軸
８５…底面
８７…外周面
８９…位置決め用リブ（レンズ位置決め機構）
９１…内周面
９３…位置決め溝（レンズ位置決め機構）
９５…固定用ロック（レンズ固定機構）
９７…固定穴（レンズ固定機構）
【図１】
2013229256.tif 000003
【図２】
2013229256.tif 000004
【図３】
2013229256.tif 000005
【図４】
2013229256.tif 000006
【図５】
2013229256.tif 000007
【図６】
2013229256.tif 000008
【図７】
2013229256.tif 000009
【図８】
2013229256.tif 000010
【図９】
2013229256.tif 000011
【図１０】
2013229256.tif 000012
【図１１】
2013229256.tif 000013
【図１２】
2013229256.tif 000014
【図１３】
2013229256.tif 000015